(57)【特許請求の範囲】
【請求項１】
樹脂又は繊維強化樹脂からなり、基端部を有する釣竿本体と、当該釣竿本体の基端部を支持するグリップとを備えたワカサギ用釣竿であって、
上記釣竿本体は、
上記基端部に連続し、断面形状が扁平した矩形である帯状部を有し、当該帯状部の長手方向に沿って所定の間隔で複数のラインガイドが並設されており、
上記帯状部は、
上記基端部側から先端側に向かって所定のテーパが設けられ、且つ上記ラインガイドが設けられた部位の上記基端部側近傍に局部的に曲げ剛性を低下させる欠損部が形成されており、
当該欠損部は、
上記帯状部の両側面に対向して形成された円弧状の切欠凹部からなる、ワカサギ用釣竿。
【発明の詳細な説明】
【技術分野】
【０００１】
この発明は、釣竿、特にワカサギ釣りに使用される釣竿の構造に関するものである。
【背景技術】
【０００２】
ワカサギ釣りは、湖において冬期にワカサギを専門に狙う釣りである。ワカサギは、体長が数ｃｍ〜１５ｃｍ程度の小型の魚であり、比較的釣りやすい魚であることから、釣人の間でワカサギ釣りは人気がある。ただし、仕掛けやエサの選択、仕掛けの操作（いわゆる「誘い」）の仕方によって釣果は大きく左右するものであり、ワカサギ釣りの上級者ほど仕掛けを操作するテクニック（「誘い」のテクニック）を重要視する。
【０００３】
図７は、一般的なワカサギ釣りの仕掛けを模式的に示している。
【０００４】
ワカサギ釣りでは、釣竿１及びリール２が使用され、リール２に巻き取られたライン３に仕掛け４が連結される。仕掛け４はおもり５を備えており、同図が示すように、おもり５の作用により仕掛け４が湖底６の付近まで沈められる。釣人は、釣竿１を所要の角度θとなるように傾斜させてワカサギがヒットするのを待つ。この角度θは、釣人のフィーリングによって設定されるものであり、釣人にとって魚がヒットしたこと（いわゆる「アタリ」）を釣人が正確に把握でき、且つ、意図的に釣竿１の穂先７を振動させて「誘い」をかけやすい角度に調整される。つまり、釣人が仕掛けを操作する（「誘い」をかける）ためには、釣竿１の弾性や曲がり特性がきわめて重要であり、従来から釣竿に関して種々の提案、改良がなされている（たとえば特許文献１〜特許文献４）
【先行技術文献】
【特許文献】
【０００５】
【特許文献１】特開２００９−２０７３５８号公報
【特許文献２】特開２００９−２０７３５７号公報
【特許文献３】特開２００９−２０７３５６号公報
【特許文献４】特開２００９−８２０５２号公報
【発明の概要】
【発明が解決しようとする課題】
【０００６】
釣人は、仕掛け４を水中に投入した後、同図の状態から意図的に穂先７を上下に振動させて「誘い」をかける。釣人は、釣果を上げるために次のようなテクニックを駆使する。すなわち、釣人は、穂先７に意図的に微細な振動を与え、この振動が一様ではなく不規則に変化したときにアタリを感知する。釣人の経験上、ワカサギ釣りでは、このような穂先７の振動の微小変化を捉えることが釣果を大きく左右する。
【０００７】
そうすると、釣竿１に要求される性能は、穂先７が微細且つ一様な振動を起こすことができること、換言すれば、穂先７が柔らかいこと、及び釣竿１が滑らかに曲がって且つ曲がりが一様に復元することである。加えて、釣人は、リール２を用いて仕掛け４を回収するが、その際に仕掛け４からワカサギが脱落しないためにも（いわゆる「バラシ」が起こらないように）、釣竿１が滑らかに曲がることが重要である。
【０００８】
ところで、ライン３が支持されるために釣竿１にラインガイド８が取り付けられる必要がある。ラインガイド８は、一般に糸及び接着剤により釣竿１の所要の位置に固定される。他方で、穂先７が柔らかく形成されることにより、当然に穂先７の剛性は低下する。そのため、ラインガイド８が釣竿１に取り付けられると、当該取付部位の剛性が局部的に大きくなり、穂先７が振動した際、あるいは仕掛け４の回収時に釣竿１が一様に曲がらないばかりか、当該取付部位を節として二次的な振動が発生してしまうおそれがある。その結果、釣人は、実釣において「誘い」をかけにくく、アタリがとりにくく、さらにはヒットしたワカサギが針から外れやすい（「バラシ」やすい）という不都合が生じる。
【０００９】
本発明はかかる背景のもとになされたものであって、その目的は、ワカサギ釣りに供される釣竿であって、滑らかに曲がって且つ一様に曲がりが復元する釣竿及び釣竿本体を提供することである。
【課題を解決するための手段】
【００１０】
(1) 本発明に係るワカサギ用釣竿は、樹脂又は繊維強化樹脂からなり、基端部を有する釣竿本体と、当該釣竿本体の基端部を支持するグリップとを備えており、上記釣竿本体は、上記基端部に連続し、断面形状が扁平した矩形である帯状部を有し、当該帯状部の長手方向に沿って所定の間隔で複数のラインガイドが並設されており、上記帯状部は、上記基端部側から先端側に向かって所定のテーパが設けられ、且つ上記ラインガイドが設けられた部位の上記基端部側近傍に局部的に曲げ剛性を低下させる欠損部が形成されており、当該欠損部は、上記帯状部の両側面に対向して形成された円弧状の切欠凹部からなる。
【００１１】
この構成によれば、釣竿本体は、樹脂又は繊維強化樹脂により構成されるので均質な構造を備え、したがって、仮に上記欠損部が存在しないとすれば、釣竿本体の断面係数は基端部から先端に向かって漸次滑らかに変化し、当該釣竿本体に曲げモーメントが作用した場合には、全体に滑らかに湾曲変形すす。上記断面係数が小さく設定された場合には、当該釣竿本体は、微小な曲げモーメントに対しても敏感に反応して湾曲変形する。ただし、この釣竿本体には長手方向に沿って所定の間隔で複数のラインガイドが設けられているので、当該ラインガイドが設けられた部位では当然に断面係数が局部的に大きくなり、そのため、当該釣竿本体に曲げモーメントが作用した場合には、当該釣竿本体は、滑らかに湾曲変形することができなくなる傾向にある。
【００１２】
この発明では、上記釣竿本体に上記欠損部が設けられており、各欠損部は、上記ラインガイドの近傍に位置する。より具体的には、釣竿本体の帯状部の両側面に、対向するように円弧状の切欠凹部が形成されている。上記帯状部に上記円弧状の切欠凹部が設けられることにより、当該切欠凹部が設けられた部位において断面係数が局部的に且つ効果的に小さくなり、上記釣竿本体の剛性は局部的に低下する。つまり、上記釣糸ガイドが設けられることによる断面係数の増大と上記欠損部が設けられることによる断面係数の低下とが相殺され、結果として釣竿本体の断面係数は、基端から先端に向かって漸次滑らかに変化し、上記釣竿本体は、微小な曲げモーメントが作用した場合であっても滑らかに曲がって且つ一様に曲がりが復元する。なお、上記従来の要領とは、典型的には、ナイロン糸で釣糸ガイドが細長棒状体に締結され、接着剤にて固定されるものである。
【発明の効果】
【００１３】
この発明によれば、ワカサギその他の小型魚の微小なアタリが釣人によって確実に捉えられ、且つ釣針から魚が脱落することが防止される。
【図面の簡単な説明】
【００１４】
【図１】図１は、本発明の一実施形態に係る釣竿の外観斜視図である。
【図２】図２は、図１における要部拡大図である。
【図３】図３は、本発明の一実施形態の変形例に係る釣竿本体の要部拡大斜視図である。
【図４】図４は、本発明の一実施形態の第２の変形例に係る釣竿本体の要部拡大斜視図である。
【図５】図５は、本発明の一実施形態の第３の変形例に係る釣竿本体の要部拡大斜視図である。
【図６】図６は、本発明の一実施形態の第４の変形例に係る釣竿本体の要部拡大斜視図である。
【図７】図７は、一般的なワカサギ釣りの仕掛けを模式的に示す図である。
【発明を実施するための形態】
【００１５】
以下、本発明の好ましい実施形態が、適宜図面が参照されつつ説明される。なお、本実施の形態は、本発明に係る釣竿の一態様にすぎず、本発明の要旨を変更しない範囲で実施態様が変更されてもよいことは言うまでもない。
【００１６】
［釣竿の構成］
【００１７】
図１は、本発明の一実施形態に係る釣竿の外観斜視図である。図２は、図１における要部拡大図である。
【００１８】
釣竿１０は、主としてワカサギ釣りに供されるものであって、釣竿本体１１と、釣竿本体１１に設けられたラインガイド１２と、グリップ１３とを備えている。この釣竿１０の特徴とするところは、釣竿本体１１が後述の形状に形成されている点であり、これにより、釣竿本体１１が滑らかに湾曲変形することができると共に、当該変形が一様に復元され得るようになっている。
【００１９】
釣竿本体１１は、ガラス繊維強化樹脂からなる。もっとも釣竿本体１１を構成する材料は、炭素繊維強化樹脂でもよいし、繊維で強化されていない樹脂や金属でもよい。釣竿本体１１は、図１が示すように細長棒状体である。図２が示すように、この釣竿本体１１は帯状に形成されている。すなわち、釣竿本体１１の断面形状は、扁平した矩形に形成されている。ただし、釣竿本体１の基端部１４においては（図１参照）、釣竿本体１１の断面形状が円形に形成されている。つまり、この基端部１４は、丸棒状に形成されている。
【００２０】
また、図１が示すように、この釣竿本体１１はテーパ状に形成されており、釣竿本体１１の幅寸法W(図２参照）は、釣竿本体１１の基端部１４から先端部１５に向かって漸次小さくなっている。なお、本実施形態では、細長棒状態が丸棒状に成形され、これが切削されることによって上記帯状の釣竿本体１１が形成されている。本実施形態では、釣竿本体１１の基端部１４の外径は４ｍｍに設定され、先端の幅寸法Ｗは１．５ｍｍ、厚さ寸法Ｂ（図２参照）は０．１５ｍｍに設定されている。もっとも、釣竿本体１１の外形寸法は設計変更され得るし、他の加工手段によって釣竿本体１１が帯状に形成されてもよい。
【００２１】
釣竿本体１１に切欠凹部１６〜２０（本発明における「欠損部」の一例）が設けられている。本実施形態では、５つの切欠凹部１６〜２０が釣竿本体１１の長手方向に沿って並設されている。本実施形態では、釣竿本体１１の先端から切欠凹部１６までの距離ｐ１は２２ｍｍに設定されており、隣り合う切欠凹部１６〜２０同士の間隔ｐ２〜ｐ５は、それぞれ、２５ｍｍ、２７ｍｍ、３３ｍｍ、４０ｍｍに設定されている。なお、切欠凹部１６から２０の数や、上記距離ｐ１、間隔ｐ２〜ｐ５は、適宜設計変更され得る。
【００２２】
図２が示すように、本実施形態では、各切欠凹部１６〜２０は、釣竿本体１１の両側に設けられており、釣竿本体１１の左側面２１及び右側面２２が切りかかれることによって形成されている。各切欠凹部１６〜２０は、本実施形態では円弧状に形成されており、この円弧の半径Ｒは５ｍｍに設定されている。この円弧の半径Ｒは適宜設計変更され得るが、各切欠凹部１６〜２０が設けられた部位の釣竿本体１１の幅寸法Ｗｏは、１．８ｍｍ以上に設定される。なお、各切欠凹部１６〜２０の形状は、円弧状に限定されるものではなく他の形状であってもよい。ただし、釣竿本体１１に曲げモーメントが作用した際に各切欠凹部１６〜２０が設けられた部位における応力集中が回避されるためには、釣竿本体１１の断面形状が急激に変化しないように各切欠凹部１６〜２０の形状が決定されるべきである。
【００２３】
本実施形態では、図１が示すように６つのラインガイド１２が取り付けられている。各ラインガイド１２は、ステンレス鋼により構成されており、既知の構造である。したがって、ラインガイド１２についての説明は省略される。各ラインガイド１２は、一対の取付脚２３を有する。この取付脚２３が釣竿本体１１の所定位置に固定されている。すなわち、第１番目のラインガイド１２は、釣竿本体１１の先端に配置されており、このラインガイド１２の取付脚２３は、ナイロン糸２４により釣竿本体１１の先端部１５に締結され、接着剤で確実に固定されている。具体的には、一対の取付脚２３が釣竿本体１１の長手方向に沿って配置され、ナイロン糸２４が釣竿本体１１の短手方向に巻き付けられることによって締結される。他のラインガイド１２も同様の要領で釣竿本体１１に締結固定されている。第２番目から第６番目のラインガイド１２は、それぞれ順に上記切欠凹部１６〜２０の近傍に配置されている。具体的には、各ラインガイド１２の取付脚２３は、図２が示すように各切欠凹部１６〜２０に隣接して、当該各切欠凹部１６〜２０の後方位置（すなわち、釣竿本体１１の基端部１４側）に固定されている。
【００２４】
図１が示すように、グリップ１３は、釣竿本体１１の基端部１４に連結されている。グリップ１３は、釣人が把持する部材であって、既知の構造を有する。グリップ１３は円柱状に形成されたグリップ本体２５を備えており、釣人が握りやすいように所要の外径に設定されている。グリップ本体２５を構成する材料は、樹脂、金属が例示される。グリップ本体２５は、リールシート２６を備えている。このリールシート２６は、釣用リールをグリップ本体２５に固定するためのものであって、釣用リールが載置されるシート面２９を備える。また、リールシート２６は、固定フード２７及び可動フード２８を有し、これらはシート面２９に載置された釣用リールの脚を挟持する。
【００２５】
［釣竿の使用要領］
【００２６】
この釣竿１０では、釣竿本体１１がガラス繊維強化樹脂からなるので、釣竿本体１１は均質な構造の細長棒状体として構成されている。このため、上記各切欠凹部１６〜２０が設けられた部位では（図１参照）、釣竿本体１１の断面係数が小さくなり、局部的に剛性が低下している。ただし、切欠凹部１６〜２０が設けられた部位に隣接してラインガイド１２の取付脚２３がナイロン糸２４及び接着剤にて固着されているから、上記切欠凹部１６〜２０が設けられることによる断面係数の低下と上記取付脚２３が固着されたことによる断面係数の増大とが相殺され、結果として、釣竿本体１１の断面係数は、基端部１４から先端部１５に向かって漸次滑らかに変化している。したがって、釣竿本体１１に微小な曲げモーメントが作用したとしても、釣竿本体１１は、ラインガイド１２が設けられた部位において節を作ることなく、滑らかに湾曲変形する。しかも、当該曲げモーメントが除去されたときは、釣竿本体１１の変形は、一様に復元する。
【００２７】
よって、釣人が釣竿１０を使用してワカサギ釣りその他の小型魚をターゲットとした釣りを行う際に、仕掛けを微妙に操作して効果的な「誘い」をかけることができるし、小型魚の微小なアタリを確実に捉えることができる。しかも、ヒットした魚の引きに対して釣竿本体１１がソフトに湾曲変形するので、ヒットした魚が釣針から脱落することが防止される。
【００２８】
また、本実施形態では、釣竿本体１１の断面形状が扁平した矩形に形成されており、釣竿本体１１が帯状に形成されている。このため、釣竿本体１１は、曲げモーメントが作用したときにきわめて敏感に湾曲変形することができる。したがって、この釣竿本体１１は、特にワカサギ釣りに好適に使用され得る。
【００２９】
［変形例］
【００３０】
図３は、上記実施形態の変形例に係る釣竿本体３１の要部拡大斜視図である。
【００３１】
同図が示すように、この変形例に係る釣竿本体３１が上記釣竿本体１１と異なるところは、釣竿本体１１は円弧状の切欠凹部１６〜２０を備えていたのに対し、釣竿本体３１は、これに代えて円形の貫通孔３２が設けられている点である。なお、その他の構成については、上記釣竿１０と同様である。
【００３２】
上記貫通孔３２の中心は、釣竿本体１１の中心と一致している。貫通孔３２の内径は特に限定されるものではないが、貫通孔３２を除いた部分の寸法Ｗｏは、上記実施形態と同様に１．８ｍｍ以上に設定される。もっとも、貫通孔３２は楕円であってもよいし、その他の形状の貫通孔であってもよい。なお、本変形例では、ラインガイド１２の取付脚２３は、貫通孔２３を跨ぐように配置され、この取付脚２３を締結するナイロン糸２４は、図３が示すように貫通孔２３の半分を覆うように釣竿本体１１に巻き付けられる。
【００３３】
図４は、上記実施形態の第２の変形例に係る釣竿本体３３の要部拡大斜視図である。
【００３４】
この変形例に係る釣竿本体３３が上記釣竿本体１１と異なるところは、釣竿本体１１は帯状に形成されていたのに対し、釣竿本体３３は、円柱状に形成されている点である。つまり、釣竿本体３３は、従来から一般的な形状であるテーパ付きの丸棒であってもよい。本変形例では、切欠凹部１６〜２０は、釣竿本体３３の曲げ方向（参照符号３６が示す方向）に沿って配置されている。すなわち、切欠凹部１６〜２０は、釣竿本体３３が湾曲変形したときに引張応力及び圧縮応力が発生する側（図中上側及び下側）に設けられている。一対の取付脚２３は、同図が示すように切欠凹部１６〜２０の後方に釣竿本体３３の長手方向に沿って配置され、ナイロン糸２４で締結される。なお、その他の構成については、上記釣竿１０と同様である。
【００３５】
図５は、上記実施形態の第３の変形例に係る釣竿本体３４の要部拡大斜視図である。
【００３６】
この変形例に係る釣竿本体３４が上記釣竿本体１１と異なるところは、釣竿本体１１は帯状に形成されていたのに対し、釣竿本体３４は、円柱状に形成されている点、及び釣竿本体１１は上記切欠凹部１６〜２０を備えていたのに対し、釣竿本体３４は、これに代えて円形の貫通孔３５が設けられている点である。本変形例では、一対の取付脚２３は、同図が示すように貫通孔３５を跨いで釣竿本体３４の長手方向に沿って配置され、ナイロン糸２４で締結される。なお、その他の構成については、上記釣竿１０と同様である。
【００３７】
図６は、上記実施形態の第４の変形例に係る釣竿本体３８の要部拡大斜視図である。
【００３８】
この変形例に係る釣竿本体３８が上記釣竿本体１１と異なるところは、釣竿本体１１は帯状に形成されていたのに対し、釣竿本体３４は、円柱状に形成されている点、及び釣竿本体１１は上記切欠凹部１６〜２０を備えていたのに対し、釣竿本体３４は、これに代えて外径が縮径されている点である。本変形例では、一対の取付脚２３は、同図が示すように縮径された部分の後方に釣竿本体３４の長手方向に沿って配置され、ナイロン糸２４で締結される。この縮径された部分は、同図が示すように、中央部の外径（ｄ０）が最も小さく、当該中央部から両側に向かって漸次外径が滑らかに大きくなっている。なお、その他の構成については、上記釣竿１０と同様である。そして、この変形例に係る釣竿本体３８では、上記取付脚２３は、釣竿本体３８の全周にわたって任意の位置に取り付けられるので、ラインガイド１２の取付作業が容易である。
【符号の説明】
【００３９】
１０・・・釣竿
１１・・・釣竿本体
１２・・・ラインガイド
１４・・・基端部
１５・・・先端部
１６・・・切欠凹部
１７・・・切欠凹部
１８・・・切欠凹部
１９・・・切欠凹部
２０・・・切欠凹部
２４・・・ナイロン糸
３１・・・釣竿本体
３２・・・貫通孔
３３・・・釣竿本体
３４・・・釣竿本体
【図１】
0005576677.tif 000002
【図２】
0005576677.tif 000003
【図３】
0005576677.tif 000004
【図４】
0005576677.tif 000005
【図５】
0005576677.tif 000006
【図６】
0005576677.tif 000007
【図７】
0005576677.tif 000008